(57)【要約】  本発明は液体タンクまたは輸液袋にあった液体が全部流出される場合、液体の流れを遮断して警報灯と警報音を発生し、所定時間の間液体の供給が続けて維持される機能を備えた輸液セットまたは同様な原理の液体遮断装置及びそのシステムに関する。  本発明による輸液セットまたは液体遮断装置は、中央に凹部を有する弾性支持片、上記弾性支持片の上記凹部と係合するように形成された凸部を有する弾性可動片、上部及び下部に液体が流入される流入口と液体が流出される流出口が設置され、一側面に一対の上記弾性支持片と弾性可動片が装着されていて他側に報知機または総合状況室の受信機へ無線信号を送る無線呼び出し装置が装着されるハウジング及び直下に貯蔵バッグを含み、液体が流入される場合、上記弾性支持片の凹部に係合していた上記弾性可動片の凸部が液圧によって反対方向に突出して液体を通過させ、液体が流入されない場合、上記弾性可動片の凸部が原形復元力によって上記ハウジングの流出口を覆って塞がれるように動作して貯蔵バッグに保存された液体が所定時間の間供給が続けて維持される。【選択図】図１
2008529650.tif 000002
【特許請求の範囲】
【請求項１】
液体タンクまたは輸液袋に連結され、液体を注入する液体遮断装置において、
中央に凹部を有する弾性支持片、
上記弾性支持片の上記凹部に当接する凸部を有する弾性可動片、及び
上部及び下部に液体が流入される流入口と液体が流出される流出口が設置され、一側面に一対の上記弾性支持片と弾性可動片が装着されるハウジングを含み、
液体が流入される場合、上記弾性支持片の凹部に密着されていた上記弾性可動片の凸部が水圧によって上記凹部の反対方向に突出して液体を通過させ、液体が流入されない場合、上記弾性可動片の凸部が原形復元力によって上記弾性支持片と相互に密着するようになって上記ハウジングの流出口を覆って塞ぐようになり供給管側の液体が流出しないようになることを特徴とする液体遮断装置。
【請求項２】
上記ハウジングの他側面に形成され、報知機を着脱することができ、かつ中央に警報ボタンを挿入することができる警報ボタン穴が形成されているスクリュースレッド結合部をさらに備え、
上記報知機は、
液体が流入される場合、上記弾性可動片の凸部が反対方向に突出して上記警報ボタンを押圧するため警報灯と警報音が発生せず、
液体が流入されない場合、上記弾性可動片の凸部が元の位置になって上記警報ボタンが元の位置に突出するので警報灯と警報音が発生するようになることを特徴とする請求項１の液体遮断装置。
【請求項３】
上記ハウジングの他側面に形成され、無線呼び出し装置を着脱することができ、かつ中央に警報ボタンを挿入することができる警報ボタン穴が形成されているスクリュースレッド結合部をさらに備え、
上記無線呼び出し装置は、
液体が流入される場合、上記弾性可動片の凸部が反対方向に突出して上記警報ボタンを押圧することにより液体が流入されることを知らせる第１無線呼び出し信号を送って警報灯と警報音を発生せず、
液体が流入されない場合、上記弾性可動片の凸部が元の位置になって上記警報ボタンが元の位置に突出することにより液体が流入されないことを知らせる第２無線呼び出し信号を送って警報灯と警報音が発生するようになることを特徴とする請求項１の液体遮断装置。
【請求項４】
ビニールで製造され、液体タンクまたは輸液袋から流入される液体がなくても、液体が所定時間の間続けて供給されるように液体を保有する貯蔵バッグをハウジングの直下にさらに備えることを特徴とする請求項１の液体遮断装置。
【請求項５】
液体遮断装置及び総合状況室の受信機を有する液体遮断システムにおいて、
上記液体遮断装置は、
中央に凹部を有する弾性支持片と、上記弾性支持片の上記凹部に当接する凸部を有する弾性可動片と、上部及び下部に液体が流入される流入口と液体が流出される流出口が設置され、一側面に一対の上記弾性支持片と弾性可動片が装着されるハウジングを含み、
上記ハウジングの他側面に形成され、無線呼び出し装置を着脱することができ、かつ中央に警報ボタンを挿入することができる警報ボタン穴が形成されるスクリュースレッド結合部を備え、
上記無線呼び出し装置は、液体が流入される場合上記弾性可動片の凸部が反対方向に突出して上記警報ボタンを押圧することにより液体が流入されることを知らせる第１無線呼び出し信号を送って警報灯と警報音を発生せず、液体が流入されない場合上記弾性可動片の凸部が元の位置になって上記警報ボタンが元の位置に突出することにより液体が流入されないことを知らせる第２無線呼び出し信号を送って警報灯と警報音が発生するように構成され、
上記総合状況室の受信機は、
上記無線呼び出し装置と距離が離れた所に位置し、
上記無線呼び出し装置から発生される無線呼び出し信号を受信する受信装置と、上記無線呼び出し装置の位置と状態を表示する画面表示部を含み、
上記第２無線呼び出し信号を受信すれば上記画面表示部の対応する無線呼び出し装置の位置に警報音とともに警報灯が点灯され、上記第１無線呼び出し信号を受信すれば上記画面表示部の対応する無線呼び出し装置の位置に警報灯が点灯せずかつ警報音が発生しないように構成されたことを特徴とする液体遮断システム。
【発明の詳細な説明】
【技術分野】
【０００１】
本発明は、輸液袋または液体タンクにあった液体が全部流出される場合、液体の流れを遮断し、警報灯と警報音を発生して所定時間の間液体の供給を維持する機能を備えた液体遮断装置及びそのシステムに関する。
【背景技術】
【０００２】
従来、患者たちが輸液の注射をしてもらうとき、輸液が全部入ってもこれを保護者や患者がすぐ認知することができず患者の血が逆流するようなことが時々あった。
【０００３】
したがって、患者や保護者は、いつ輸液が全部入ったか分からないので、輸液の注射をしてもらう間中にもいつも気を使わなければならない問題点があった。
【０００４】
よって、輸液の点滴チャンバに小型の円形のボールを挿入して輸液が全部入ると円形のボールが輸液の流出口を塞ぐことにより、患者の血が逆流することを防止する技術が発明された。
【０００５】
しかし、このような従来の発明では、輸液が全部入ったとき、円形のボールが輸液の流出口を確実に塞ぐことができなかったので、患者や保護者の要求を満たすことができない問題点があった。
【発明の開示】
【発明が解決しようとする課題】
【０００６】
本発明は、上記問題点を解決するために開示され、液体が患者に全部入ると流出口が迅速・正確に遮られるだけでなく液体が全部入ったことを警報灯と警報音で知らせ、所定時間の間液体の供給をさらに維持することができるように液体遮断装置及びそのシステムを提供することを目的にする。
【課題を解決するための手段】
【０００７】
本発明による輸液の遮断機能を有する輸液セットは、輸液袋に連結されて輸液を注入する輸液セットにおいて、中央に凹部を有する弾性支持片と、上記弾性支持片の上記凹部に当接する凸部を有する弾性可動片と、上部及び下部に輸液が流入される流入口と輸液が流出される流出口が設置され、一側面に一対の上記弾性支持片と弾性可動片が装着されるハウジングを含み、輸液が流入される場合、上記弾性支持片の凹部に当接する上記弾性可動片の凸部が反対方向に突出して輸液を通過させ、輸液が流入されない場合、上記弾性可動片の凸部が原形復元力によって、上記弾性支持片の凹部に密着され上記ハウジングの流出口を覆って塞がれるように動作することを特徴とする。
【発明の効果】
【０００８】
液体が流入される場合、上記弾性支持片の凹部に当接する上記弾性可動片の凸部が水圧によって反対方向に突出して液体を通過させ、液体が流入されない場合、上記弾性可動片の凸部が原形復元力によって上記弾性支持片の凹部に密着され上記ハウジングの流出口を覆って塞がれるように動作し、供給管の液体が流出せず、貯蔵バッグに貯蔵された液体は所定時間の間供給を継続的に維持する。
【発明を実施するための最良の形態】
【０００９】
さらに、本発明の輸液セットは警報ボタンを備え、上記警報ボタンが突出されていれば警報灯と警報音を発生し、上記警報ボタンが押圧されているときは、警報灯と警報音を停止するように動作する報知機または無線呼び出し装置をさらに備えるのが好ましい。
【００１０】
望ましくは、上記ハウジングの他側面に形成され、回転操作により報知機または無線呼び出し装置を着脱することができ、その中央に上記警報ボタンを挿入することができる警報ボタン穴が形成される。輸液が流入される場合、上記弾性可動片の凸部が反対方向に突出して上記警報ボタンを押圧するので警報灯と警報音が発生しないようになり、輸液が流入されない場合、上記弾性可動片の凸部が元の位置に復元されて上記警報ボタンを押圧しないので警報灯と警報音を発生するようになる。
【００１１】
一方、本発明の輸液セットは、輸液袋から流入される輸液がなくても所定時間の間輸液が継続して患者に供給されるように輸液を保有する貯蔵バッグをハウジングの直下にさらに備えるのが望ましい。
【００１２】
貯蔵バッグは透明なビニ−ル材にて製造され、液体が流入されると膨らみ、液体が無くなるとしぼむ形態に形成される。
【実施例】
【００１３】
次は本発明の実施例を図面を参照して説明する。
【００１４】
図１は、本発明による液体遮断装置を適用した輸液セットを示す図面である。
【００１５】
図１に示したように、輸液セットは、輸液袋に挿入される針棒（１１）、輸液が一滴ずつ落ちる点滴状態を確認することができる点滴チャンバ（１２）、ハウジング（２０）、貯蔵バッグ（４０）、輸液を案内する供給管（１３）及び報知機または無線呼び出し装置（３０）を含む。
【００１６】
図２は、図１の輸液セットの分解斜視図である。
【００１７】
輸液セットのハウジング（２０）の上部及び下部に流入口（２０Ａ）と流出口（２０Ｂ）が形成され、該流入口（２０Ａ）と該流出口（２０Ｂ）にそれぞれ点滴チャンバ（１２）と貯蔵バッグ（４０）が挿入される。貯蔵バッグ（４０）の下方には供給管（１３）が設けられる。
【００１８】
一対の弾性支持片（２１）と弾性可動片（２２）が輸液遮断装置のハウジング（２０）の一側に挿入され、弾性可動片（２２）の弾性支持片（２１）に対する当接又は解除によって輸液の流れを通過又は遮断させる。
【００１９】
さらに、輸液の遮断装置のハウジング（２０）の他側には輸液袋から輸液が全部流出されるとき、警報灯と警報音を発生する報知機または無線呼び出し装置（３０）が挿入される。
【００２０】
図３ａは、図２のハウジングを示す図面であり、図３ｂは、図２のハウジングの反対側を示す図面である。
【００２１】
開放された円筒形からなるハウジング（２０）の一側面には一対の弾性支持片（２１）と弾性可動片（２２）が挿入され、内壁に複数個の突起（２０Ｃ）が形成される。該複数個の突起（２０Ｃ）は、弾性支持片（２１）と弾性可動片（２２）とを挿入するとき、弾性支持片（２１）と弾性可動片（２２）の突起溝（２１Ｂ、２２Ｂ）とを接触させる。
【００２２】
一方、ハウジング（２０）の他側面には開放された円筒形からなるスクリュースレッド結合部（２０Ｄ）が形成され、これにより輸液袋から輸液が全部入ったとき、警報灯と警報音を発生する報知機または無線呼び出し装置（３０）を着脱することができる。このスクリュースレッド結合部（２０Ｄ）の中央には、警報ボタン（３０Ａ）を挿入されることができる警報ボタン穴（２０Ｅ）が形成されている。
【００２３】
そして、このスクリュースレッド結合部（２０Ｄ）には報知機または無線呼び出し装置（３０）をねじ結合することができるように外壁にスクリュースレッドが形成されている。
【００２４】
図４ａは、図２の弾性支持片を示す図面であり、図４ｂは、図２の弾性可動片を示す図面である。  
【００２５】
中央に凹部（２１Ａ）を有する弾性支持片（２１）は、中央に凸部（２２Ａ）を有する弾性可動片（２２）に当接するようになっており、複数個の突起溝（２１Ｂ、２２Ｂ）が形成され、該複数個の突起溝（２１Ｂ、２２Ｂ）がハウジング（２０）に形成された複数個の突起（２０Ｃ）に係合される。したがって、弾性支持片（２１）と弾性可動片（２２）は、ハウジング（２０）に挿入されたとき、揺れたり離脱しないようになる。弾性支持片（２１）は、上部に流入口（２０Ａ）に連結される流入口溝（２１Ｃ）があり、下部に流出口（２０Ｂ）に連結される流出口溝（２１Ｄ）がある。流入口（２０Ａ）と流入口溝（２１Ｃ）は、点滴チャンバ（１２）へ空気が円滑に流れるよう大きく形成されることが望ましい。弾性支持片（２１）と弾性可動片（２２）は、原形復元力に非常に優れたラテックスやシリコンのような弾性材で作られ、弾性可動片（２２）の凸部（２２Ａ）は、輸液による小さな水圧にも反対方向に突出するように薄く作られる。
【００２６】
図５は、図２の報知機または無線呼び出し装置の斜視図である。
【００２７】
図５に示したように、報知機または無線呼び出し装置（３０）は一側の中央に警報ボタン（３０Ａ）が突出されている。この警報ボタン（３０Ａ）は、ハウジング（２０）の警報ボタン穴（２０Ｅ）に挿入される。
【００２８】
常時即ち輸液が正常に流れているとき、警報ボタン（３０Ａ）は弾性可動片（２２）によって押圧されており、非常時即ち輸液が全部流出したときには、警報ボタン（３０Ａ）は弾性可動片（２２）と離れている。
【００２９】
さらに、報知機または無線呼び出し装置（３０）の内壁にはねじ溝の結合部（３０Ｂ）が形成されており、このねじ溝の結合部（３０Ｂ）にはハウジング（２０）のスクリュースレッド結合部（２０Ｄ）とねじ結合することができるようにねじ溝が形成されている。
【００３０】
したがって、使用者は報知機または無線呼び出し装置（３０）を輸液セットに装着するとき、回転して装着することができ、このとき、ハウジング（２０）のスクリュースレッド結合部（２０Ｄ）と報知機または無線呼び出し装置（３０）のねじ溝の結合部（３０Ｂ）が結合するようになる。
【００３１】
警報ボタン（３０Ａ）が押圧される場合、報知機または無線呼び出し装置（３０）は警報灯と警報音を止める。また報知機または無線呼び出し装置（３０）に装着されたスプリングのような装置の作動により警報ボタン（３０Ａ）が突出されると、つまり報知機または無線呼び出し装置（３０）を使用しない場合には、図６ｂのように逆さまの状態になるので警報ボタン（３０Ａ）が押圧された状態となり、警報灯と警報音を停止するようになる。上記警報ボタン（３０Ａ）を活用した報知機または無線呼び出し装置（３０）は、本発明の一例であり、弾性可動片（２２）の凸部（２２Ａ）の動きを感知することができるセンサ−を装着した様々な報知機または無線呼び出し装置（３０）を製作することができる。
【００３２】
小型の無線呼び出し装置（３０）は、警報ボタン（３０Ａ）の作動によって無線で看護婦室の受信機へ信号を送るようになる。
【００３３】
看護婦室にある受信機の画面表示部に、輸液が全部入った患者の位置を示す赤色警報灯が点灯し、かつ、警報音を発生させて輸液袋の輸液が全部入ったことを知らせる。これにより、患者の保護者が観察しなくても看護婦が輸液の全部入った患者を総合的に把握した後新しい輸液袋にすぐ入れ替えることができる。そして、新しい輸液袋の交換のときには、無線で看護婦室の受信機へ信号を送り、すべての患者を監視する画面表示部にずっと点けていた赤色警報灯と警報音を消すようにする。
【００３４】
報知機または無線呼び出し装置（３０）は、小型のバッテリ−、赤色警報灯及び通常のＩＣ回路を備えたメロディ−発生回路または無線呼び出し回路に構成することができる。報知機はメロディ−カードに内蔵された装置と構造が同様であり、無線呼び出し装置は、食堂のテ−ブルに設置されている無線呼び出しボタンと構造が同様である。
【００３５】
次に、本発明による輸液セットの動作に対して図６を参照して説明する。
【００３６】
輸液袋から流入口（２０Ａ）を通って輸液（６０）が流入され始め、ハウジング（２０）に輸液（６０）が所定量溜まると、弾性支持片（２１）の凹部（２１Ａ）に係合していた弾性可動片（２２）の凸部（２２Ａ）は、水圧によって図６ｂに示すように反対方向に突出する。このとき、弾性可動片（２２）の反対側に引っくり返った凸部（２２Ｃ）によって警報ボタン（３０Ａ）が押されるので、警報灯と警報音が発生されない。
【００３７】
しかし、輸液袋から流入口（２０Ａ）を通じて輸液（６０）がこれ以上流入されないと、弾性可動片（２２）の凸部（２２Ａ）は原形復元力によって弾性支持片（２１）に密着しながらハウジング（２０）の流出口（２０Ｂ）を覆って塞いでしまうようになる。よって、流出口（２０Ｂ）より下にある輸液（６０）がこれ以上下方に流れないようになって、患者の血液が逆流しなくなる。なお、弾性可動片（２２）の凸部（２２Ａ）が原形に復元され、押圧されていた警報ボタン（３０Ａ）が元の位置になって警報音と警報灯を発生する。
【００３８】
このとき、輸液袋から流入される輸液（６０）はないが、貯蔵バッグ（４０）に保管されていた輸液（６０）が供給管（１３）を通じて流れることによって、患者には停止なしに断続的に輸液（６０）が供給される。
【００３９】
これにより、看護婦は楽に輸液袋を交換したり、患者の身体に挿入されていた注射針を抜くことができる。看護婦に輸液袋の入れ替え時間をもっと余裕のあるように与えようとすれば、貯蔵バッグ（４０）の大きさをさらに大きくすれば良い。
【００４０】
図７は、本発明による液体遮断装置を適用した液体タンクでの遮断状態を示す断面図である。
【００４１】
図７に示したように、本発明による液体遮断装置を適用した液体タンクでの液体遮断装置は、上記輸液セットのような原理として作動し、空気排出官（１２Ａ）、液体タンク（５０）内の液体が一滴ずつ落ちる点滴状態を確認することができる点滴チャンバ（１２）、弾性支持片（２１）と弾性可動片（２２）を内蔵したハウジング（２０）、貯蔵バッグ（４０）、供給管（１３）及び報知機または無線呼び出し装置（３０）からなる。
【００４２】
点滴チャンバ（１２）は空気排出官（１２Ａ）を備え、点滴チャンバ（１２）の空気を排出して点滴チャンバ（１２）内の液位を適当に調節することができる。
【００４３】
図１と比べて同様な部分には同様な図面の符号を付け、その詳細な説明は省略する。
【００４４】
本発明による液体遮断装置を適用した液体タンクでの液体遮断装置は、上述したように液体タンク（５０）から流入口（２０Ａ）を通じて液体（６０）がこれ以上流入されない場合、弾性可動片（２２）の凸部（２２Ａ）は弾性支持片（２１）の凹部（２１Ａ）に密着するようになってハウジング（２０）の流出口（２０Ｂ）を覆って塞ぐようになる。よって弾性可動片（２２）の凸部（２２Ａ）がこれ以上警報ボタン（３０Ａ）を押さないようになるので警報灯と警報音を発生するようになる。
【００４５】
なお、液体タンク（５０）から流入される液体がない場合でも、貯蔵バッグ（４０）に保管されていた液体（６０）が供給管（１３）を通じて所定時間の間継続して供給される。よって、液体タンクの管理者は楽に液体タンクに液体を満たすことができる。
【００４６】
このような液体タンクの一例としてボイラ−の油タンクの例を挙げる。
【産業上の利用可能性】
【００４７】
本発明による液体遮断装置によれば、輸液袋または液体タンクの液体が全部入るとすぐ遮られて報知機または無線呼び出し装置によって警報灯と警報音で知らせ、所定時間の間液体の供給をさらに維持する。
【００４８】
したがって、輸液セットの場合、輸液がどのくらい残っているか随時に確認しなくてもいいし、血管が詰まる前にすぐ輸液袋を入れ替ることができる。さらに、輸液セット内の輸液が完全に入り込んだとき血液が輸液セット内に逆流するのを防止することができる。そして、貯蔵バッグが設置されているので、輸液が注入されている状態で楽に輸液袋を入れ替ることができる。
【００４９】
液体タンクの場合には、供給管に空気が流入されないように遮断し、点滴の確認により供給量を細かく調節するとか、リアルタイムで現在の使用量を視認することができる。また遮断時に報知機または無線呼び出し装置によって警報灯と警報音が発生したときは、液体タンクを再び満たすまで貯蔵バッグによって所定時間の間継続して液体を供給することができる。
【００５０】
無線呼び出し装置は、無線で総合状況室の受信機へ信号を送って数百個の輸液袋を総合的に管理するだけではなく、工業用としても生産ラインで数百種類の溶液を扱う溶液タンクを総合的に管理することができる。
【００５１】
以上本発明の望ましい実施例を図示して説明したが、本発明は上述した特定の実施例に限定されることなく、特許請求範囲で請求する本発明の要旨を逸脱しない限り該発明が属する技術分野における通常の知識を有する者であれば誰でも多様な変形の実施が可能なことは勿論、そのような変更は特許請求範囲記載の範囲内に含まれる。
【図面の簡単な説明】
【００５２】
【図１】図１は本発明による液体遮断装置を適用した輸液セットを示す図面である。
【図２】図２は図１の輸液セットの分解斜視図である。
【図３】図３ａは図２のハウジングを示す図面であり、図３ｂは図２のハウジングの反対側を示す図面である。
【図４】図４ａは図２の弾性支持片を示す図面であり、図４ｂは図２の弾性可動片を示す図面である。
【図５】図５は図２の報知機または無線呼び出し装置を示す図面である。
【図６】図６ａは図２の輸液セットの遮断状態を示す断面図であり、図６ｂは図２の輸液セットの通過状態を示す断面図である。
【図７】図７は本発明による液体遮断装置を適用した液体タンクでの遮断状態を示す断面図である。
【図１】
2008529650.tif 000003
【図２】
2008529650.tif 000004
【図３】
2008529650.tif 000005
【図４】
2008529650.tif 000006
【図５】
2008529650.tif 000007
【図６】
2008529650.tif 000008
【図７】
2008529650.tif 000009
【国際調査報告】
2008529650.tif 000010
2008529650.tif 000011